(57)【要約】【課題】  複数のコンタクト端子がハウジングの一部である板部に並列に配置されるカード用コネクタ装置において、シールド部材を配置する際のシールド部材とコンタクト端子とのショートを生じにくくすることができるカード用コネクタ装置の提供。【解決手段】  複数のコンタクト端子２が、ハウジング１の底板１ａに並列に設けられる。コンタクト端子２の両側方に配置される側方シールド部７ａと、これら側方シールド部７ａ間に架設される架設シールド部７ｂとを備えるシールド部材７を設ける。コンタクト端子２と同数のシールド部材７を一体部材８にしてある。一体部材８は、各シールド部材７の側方シールド部７ａおよび架設シールド部７ｂが底板１ａに埋設されるように、インサート成形により設けてある。【選択図】図１
2005209522.tif 000002
【特許請求の範囲】
【請求項１】
複数の端子を有するカードが装着される絶縁材製のハウジングと、このハウジングに設けられ前記複数の端子に接触する複数のコンタクト端子とを備え、前記複数のコンタクト端子が、前記ハウジングの一部である板部に並列に設けられるカード用コネクタ装置であって、
前記コンタクト端子の両側方に配置される側方シールド部と、これらの側方シールド部間に架設される架設シールド部とが一体に形成される金属製のシールド部材を備え、
複数の前記シールド部材が前記板部に設けられることを特徴とするカード用コネクタ装置。
【請求項２】
請求項１記載の発明において、前記側方シールド部および前記架設シールド部を前記板部に埋設したことを特徴とするカード用コネクタ装置。
【請求項３】
請求項１または２記載の発明において、前記シールド部材を接地接続したことを特徴とするカード用コネクタ装置。
【請求項４】
請求項１〜３のいずれか１項に記載の発明において、複数の前記シールド部材を一体化して一体部材としたことを特徴とするカード用コネクタ装置。
【請求項５】
請求項１〜４のいずれか１項に記載の発明において、前記板部に対向し接地接続される金属製カバーと、前記金属製カバーと反対側で前記板部に対向する接地パターンとを備え、前記金属製カバーが前記ハウジングに取付けられ、前記接地パターンが前記ハウジングを設置する基板に設けられることを特徴とするカード用コネクタ装置。
【発明の詳細な説明】
【技術分野】
【０００１】
本発明は、カードの複数の端子に接触する複数のコンタクト端子とを備え、複数のコンタクト端子がハウジングの一部である板部に並列に配置されるカード用コネクタ装置に関する。
【背景技術】
【０００２】
従来から、並列するコネクタ端子を備えるコネクタ装置には、各コネクタ端子間におけるクロストークを防止するために、各コネクタ端子間にシールド部材、例えばグランド端子が設けられるものがある。
【０００３】
この種のコネクタ装置には、コンピュータ内のマザーボードに設けられ、メモリ素子を保有する電子回路基板が装着される電子回路基板用コネクタ装置がある。
【０００４】
この電子回路基板用コネクタ装置は、絶縁材からなる略直方体形のコネクタ本体、すなわち、ハウジングを備えている。このハウジングには、電子回路基板を受け入れる受口が形成されている。受口内には、コンタクト端子が並列に設けられている。そして、各コンタクト端子間には、クロストークを防止するためのシールド部材、すなわちグランド端子が設けられている。このグランド端子は、各コンタクト端子間に個別に配置されている。
【特許文献１】特開平１０−２３３２６０号公報
【発明の開示】
【発明が解決しようとする課題】
【０００５】
小型のカード用コネクタ装置は、コンタクト端子間の間隔寸法が小さいので、上述した電子回路基板用コネクタ装置のように各コンタクト端子間に個別にシールド部材を配置したのでは、グランド端子とコンタクト端子とのショートが生じやすく、歩留まりが悪化するという問題がある。
【０００６】
本発明は、上述の実情を考慮してなされたもので、その目的は、複数のコンタクト端子がハウジングの一部である板部に並列に配置されるカード用コネクタ装置において、シールド部材を配置する際のシールド部材とコンタクト端子とのショートを生じにくくすることができるカード用コネクタ装置を提供することにある。
【課題を解決するための手段】
【０００７】
上述の目的を達成するために、本発明は、複数の端子を有するカードが装着される絶縁材製のハウジングと、このハウジングに設けられ前記複数の端子に接触する複数のコンタクト端子とを備え、前記複数のコンタクト端子が、前記ハウジングの一部である板部に並列に設けられるカード用コネクタ装置であって、前記コンタクト端子の両側方に配置される側方シールド部と、これらの側方シールド部間に架設される架設シールド部とが一体に形成される金属製のシールド部材を備え、複数の前記シールド部材が前記板部に設けられることを特徴とする。
【０００８】
このように構成した本発明では、シールド部材を配置する際に、コンタクト端子の両側方に側方シールド部を一度に配置することができる。つまり、従来技術のように各コンタクト端子間に個別にシールド部材を配置する場合よりも、各コンタクト端子間にシールド部材（側方シールド部）を容易に配置することができる。これにより、シールド部材を配置する際のシールド部材とコンタクト端子とのショートを生じにくくすることができる。
【０００９】
また、本発明は、前記発明において、前記側方シールド部および前記架設シールド部を前記板部に埋設したことを特徴とする。このように構成した本発明では、側方シールド部および架設シールド部とコンタクト端子との間が、絶縁材製のハウジングにより絶縁遮断されるので、コンタクト端子とシールド部材のショートを確実に防止することができる。
【００１０】
また、本発明は、前記発明において、前記シールド部材を接地接続したことを特徴とする。このように構成した本発明では、コンタクト端子をより強固にシールドできる。
【００１１】
また、本発明は、前記発明において、複数の前記シールド部材を一体化して一体部材としたことを特徴とする。このように構成した本発明では、複数のシールド部材を一度に配置することができるので、シールド部材の配置をより容易に行うことができる。
【００１２】
また、本発明は、前記発明において、前記板部に対向し接地接続される金属製カバーと、前記金属製カバーと反対側で前記板部に対向する接地パターンとを備え、前記金属製カバーが前記ハウジングに取付けられ、前記接地パターンが前記ハウジングを設置する基板に設けられることを特徴とする。このように構成した本発明は、コンタクト端子の周囲のほぼ全体を接地接続された金属でシールドすることができる。これにより、装置外部からのコンタクト端子に対するノイズをシールドすることができる。
【発明の効果】
【００１３】
以上で説明したように、本発明によれば、各コンタクト端子間にシールド部材を容易に配置することができる。これにより、シールド部材を配置する際のシールド部材とコンタクト端子とのショートが生じにくくすることができる。この結果、歩留まりの向上に貢献できる。
【発明を実施するための最良の形態】
【００１４】
以下で本発明のカード用コネクタ装置の一実施形態について図を用いて説明する。
【００１５】
図１は、本発明のカード用コネクタ装置の金属製カバーを取除いた状態を示す平面図、図２は、金属製カバーを取付けた状態における図１のII−II断面図、図３は、図１に示す実施形態に備えられるシールド部材を示す平面図である。なお、図１〜３では、紙面の右側がハウジングの前側に対応している。
【００１６】
本実施形態は、図１に示すように、複数、例えば８つの端子を有するカード（図示せず）が装着されるハウジング１と、このハウジング１に設けられ前記８つの端子に接触する８つのコンタクト端子２とを備えている。
【００１７】
ハウジング１は、絶縁材を成形してなり、底板１ａと、この底板１ａの両側端部および前端部で立ち上がる側壁１ｂ〜１ｄとを有し、上面および後端部で開口している。ハウジング１には、図２に示すように、金属製カバー３を取付けてあり、この金属製カバー３によりハウジング１の上面を覆ってある。つまり、ハウジング１に金属製カバー３を組み付けた組立体４の内部には、カードが装着されるカード装着部４ａが形成されており、組立体４の後端部には、カード装着部４ａにカードを挿入する挿入口４ｂが形成されている。
【００１８】
ハウジング１は、基板（図示せず）に設置してある。この基板は、金属製カバー３と反対側でハウジング１の底板１ａと対向させてあり、接地パターン（図示せず）を設けてある。ハウジング１の底板１ａと対向する前記金属製カバー３には、接地パターンに半田付される半田付部（図示せず）を形成してある。つまり、金属製カバー３は、接地パターンを介して接地接続してある。
【００１９】
８つのコンタクト端子２は、図１，２に示すように、ハウジング１の一部である板部、すなわち底板１ａに、インサート成形により設けてある。コンタクト端子２は、前記基板に半田付される半田付部２ａと、この半田付部２ａから延びハウジング１の底板１ａに埋設されて固定される固定部２ｂ（図１参照）と、この固定部２ｂから延び固定部２ｂを支点に撓む撓み部２ｃと、この撓み部２ｃからカード装着部４ａ内に延び山形に湾曲し、カードの端子に接触する接触部２ｄとを有する。なお、ハウジング１の底板１ａには、コンタクト端子２の撓み部２ｃが下方に撓むのを許容する孔１ｅを形成してある。
【００２０】
また、８つのコンタクト端子２は、図１に示すように、ハウジング１の幅方向に並列する４つのコンタクト端子２から構成される第１コンタクト端子群５と、同じくハウジング１の幅方向に並列する４つのコンタクト端子２から構成される第２コンタクト端子群６とに分けてある。第１コンタクト端子群５は、ハウジング１の後端部側に配置してあり、第２コンタクト端子群６はハウジング１の前端部側に配置してある。
【００２１】
第１コンタクト端子群５を構成するコンタクト端子２と、第２コンタクト端子群６を構成するコンタクト端子２とは、接触部２ｄ側の端部同士が向き合うように配置してある。第１コンタクト端子群５を構成する各コンタクト端子２の半田付部２ａは、ハウジング１の後端部から突出させてある。第２コンタクト端子群６を構成する各コンタクト端子２の半田付部２ａは、ハウジング１の前端部から突出させてある。
【００２２】
また、本実施形態は、図１，３に示すように、金属製板を加工してなり、コンタクト端子２に対するノイズをシールドするシールド部材７を備えている。このシールド部材７は、コンタクト端子２の両側方に配置される側方シールド部７ａと、これらの側方シールド部７ａ間に架設される架設シールド部７ｂとを一体に形成してなる平面視形状がコ字形状の部材である。シールド部材７は、コンタクト端子２と同じ個数、すなわち８つ設けてある。各シールド部材７の側方シールド部７ａおよび架設シールド部７ｂは、底板１ａに埋設してある。
【００２３】
また、本実施形態では、図３に示すように、８つのシールド部材７を一体部材８としてある。この一体部材８は、図１示すように、ハウジング１の底板１ａにインサート成形により設けてあり、これにより、上述したように各シールド部材７の側方シールド部７ａおよび架設シールド部７ｂを、底板１ａに埋設してある。８つのシールド部材７は、各架設シールド部７ｂが第１コンタクト端子群５と第２コンタクト端子６との間に配置されるように連結してある。
【００２４】
また、この一体部材８の右側端部には、ハウジング１外の前後端から突出し、前記基板に設けられる接地パターンに半田付される半田付部８ａを形成してある。つまり、各シールド部材７は、前記基板に設けられる前記接地パターンを介して接地接続してある。
【００２５】
本実施形態では次の効果が得られる。
【００２６】
このように構成した本実施形態では、コンタクト端子２と同数のシールド部材７を一体部材としたので、すべてのコンタクト端子２に対するシールド部材７の配置を一度に行うことができる。これにより、従来技術のように各コンタクト端子間に個別のシールド部材を配置する場合よりも容易に、各コンタクト端子間にシールド部材（側方シールド部７ａ）を配置することができる。したがって、シールド部材７を配置する際に、コンタクト端子２とシールド部材７とのショートが生じにくくすることができる。
【００２７】
また、本実施形態では、シールド部材７の側方シールド部７ａおよび架設シールド部７ｂをハウジング１の底部１ａに埋設したので、コンタクト端子２とシールド部材７間を絶縁材で絶縁遮断することができる。これにより、コンタクト端子２とシールド部材７のショートを確実に防止することができる。
【００２８】
また、本実施形態は、一体部材８を接地接続したので、すなわち、シールド部材７を接地接続したので、各コンタクト端子２をより強固にシールドできる。
【００２９】
また、本実施形態は、ハウジング１の底板１ａに対向し接地接続される金属製カバー３と、金属製カバー３と反対側で底板１ａに対向する接地パターンとを備える。これにより、コンタクト端子２の周囲のほぼ全体を、接地接続された金属によりシールドすることができる。すなわち、第１コンタクト端子群５の側方および第２コンタクト端子群６の側方は、側方シールド部７ａによりシールドでき、コンタクト端子２の上方は、金属製カバー３によりシールドでき、コンタクト端子２の下方は接地パターンによりシールドできる。これにより、装置の外部からのコンタクト端子２に対するノイズをシールドできる。
【００３０】
また、本実施形態では、幅方向に隣接するコンタクト端子２間のクロストークを側方シールド部７ａにより防止でき、前後方向に隣接するコンタクト端子２間のクロストークを架設シールド部７ｂにより防止できる。
【００３１】
なお、本実施形態では、コンタクト端子２と同数のシールド部材７を一体化して一体部材８としたが、本発明はこれに限るものではなく、シールド部材７を何個かずつを一体部材にしてもよいし、一体部材にしなくてもよい。このように構成したものでも、従来技術のように各コンタクト端子間に個別にシールド部材を配置する場合よりも容易に各コンタクト端子間にシールド部材（側方シールド部７ａ）を配置することができる。
【図面の簡単な説明】
【００３２】
【図１】本発明のカード用コネクタ装置の金属製カバーを取除いた状態を示す平面図である。
【図２】金属製カバーを取付けた状態における図１のII−II断面図である。
【図３】図１に示す実施形態に備えられるシールド部材を示す平面図である。
【符号の説明】
【００３３】
１      ハウジング
２      コンタクト端子
３      金属製カバー
７      シールド部材
７ａ    側方シールド部
７ｂ    架設シールド部
８      一体部材
８ａ    半田付部
【図１】
2005209522.tif 000003
【図２】
2005209522.tif 000004
【図３】
2005209522.tif 000005